(57)【要約】【課題】利用者に感興を催させる音楽再生装置を提供する。【解決手段】カラオケ演奏曲の出力に同期して入力される音声情報に応じて得点を採点する採点手段７０と、採点された得点を含む利用者の情報をその採点の対象となったカラオケ演奏曲と関連付けて記憶するハードディスク６２と、選択入力されたカラオケ演奏曲に関する表示と共に、ハードディスク６２に記憶された情報のうちそのカラオケ演奏曲に関連付けられ且つ得点が所定位以上である高得点情報を画像表示装置１２に表示させる高得点情報表示手段７４とを含むことから、所定のカラオケ演奏曲の出力に伴って繰り返し自分の情報を表示させたいという自己顕示欲を刺激し、カラオケ演奏に新たな娯楽性を付与することができる。【選択図】  図４
2004302085.tif 000002
【特許請求の範囲】
【請求項１】
複数の演奏曲のうちから選択入力された所望の演奏曲を出力させ且つ該演奏曲の歌詞を表示装置に表示させると共に、入力された音声情報を増幅して出力できる音楽再生装置であって、
該演奏曲の出力に伴って入力される音声情報に応じて得点を採点する採点手段と、
該採点手段により採点された得点を含む利用者の情報を該採点の対象となった演奏曲と関連付けて記憶する記憶手段と、
選択入力された演奏曲に関する表示と共に、前記記憶手段に記憶された情報のうち該演奏曲に関連付けられ且つ得点が所定位以上である高得点情報を前記表示装置に表示させる高得点情報表示手段と
を、含むことを特徴とする音楽再生装置。
【請求項２】
前記高得点情報表示手段は、前記演奏曲の出力開始時に該演奏曲のタイトルと共に前記高得点情報を表示させるものである請求項１の音楽再生装置。
【請求項３】
前記高得点情報表示手段は、前記演奏曲の間奏時に前記高得点情報を表示させるものである請求項１又は２の音楽再生装置。
【発明の詳細な説明】
【０００１】
【発明の属する技術分野】
本発明は、例えば、カラオケボックスで使用されるカラオケ装置等の音楽再生装置に関し、特に、利用者に感興を催させる新たな機能に関する。
【０００２】
【従来の技術】
所定の記憶装置に予め記憶された複数の演奏曲のうちから選択入力された所望の演奏曲を出力させる音楽再生装置が知られている。例えば、カラオケボックス等で使用されるカラオケ装置がそれである。斯かるカラオケ装置によれば、予め記憶装置に記憶された複数の演奏曲から選択された所望の演奏曲の音楽情報を出力させると共に、その演奏曲の歌詞情報をその出力に同期して画面に表示させることで、所望の歌のカラオケ演奏を楽しむことができる。
【０００３】
ところで、近年普及しているカラオケ装置としては、上述のような音楽再生装置としての機能のみならず、様々な付随機能を備えたものが多い。例えば、特許文献１に記載されたカラオケ装置がそれである。このカラオケ装置によれば、演奏の進行に伴って入力される音声情報に応じて得点を採点する採点機能を備えていることから、高得点を目指したり得点を競い合うこと等によりカラオケ演奏の娯楽性が高められ、カラオケ装置の利用を喚起することができる。
【０００４】
【特許文献１】
特許第３１４３４５６号明細書
【０００５】
【発明が解決しようとする課題】
しかし、近年においては、採点機能を備えたカラオケ装置が広く普及しきったことにより、前述した従来の採点機能は特に目新しいものではなくなり、その娯楽性は殆ど失われるに至った。そこで、本発明者は、娯楽性に富み利用者に感興を催させる新たな機能を備えた音楽再生装置を開発すべく、利用者の動向を鋭意研究してきた。
【０００６】
本発明は、以上の事情を背景として為されたものであり、その目的とするところは、利用者に感興を催させる音楽再生装置を提供することにある。
【０００７】
【課題を解決するための手段】
斯かる目的を達成するために、本発明の要旨とするところは、複数の演奏曲のうちから選択入力された所望の演奏曲を出力させ且つその演奏曲の歌詞を表示装置に表示させると共に、入力された音声情報を増幅して出力できる音楽再生装置であって、その演奏曲の出力に伴って入力される音声情報に応じて得点を採点する採点手段と、その採点手段により採点された得点を含む利用者の情報をその採点の対象となった演奏曲と関連付けて記憶する記憶手段と、選択入力された演奏曲に関する表示と共に、前記記憶手段に記憶された情報のうちその演奏曲に関連付けられ且つ得点が所定位以上である高得点情報を前記表示装置に表示させる高得点情報表示手段とを、含むことを特徴とするものである。
【０００８】
【発明の効果】
このようにすれば、演奏曲の出力に伴って入力される音声情報に応じて得点を採点する採点手段と、その採点手段により採点された得点を含む利用者の情報をその採点の対象となった演奏曲と関連付けて記憶する記憶手段と、選択入力された演奏曲に関する表示と共に、前記記憶手段に記憶された情報のうちその演奏曲に関連付けられ且つ得点が所定位以上である高得点情報を前記表示装置に表示させる高得点情報表示手段とを、含むことから、所定の演奏曲の出力に伴って繰り返し自分の情報を表示させたいという自己顕示欲を刺激し、音楽再生装置による演奏に新たな娯楽性を付与することができる。すなわち、利用者に感興を催させる音楽再生装置を提供することができる。
【０００９】
【発明の他の態様】
ここで、好適には、前記高得点情報表示手段は、前記演奏曲の出力開始時にその演奏曲のタイトルと共に前記高得点情報を表示させるものである。このようにすれば、注目を惹き易いタイトル表示時に高得点情報を表示させることで、利用者の自己顕示欲を一層刺激できるという利点がある。
【００１０】
また、好適には、前記高得点情報表示手段は、前記演奏曲の間奏時に前記高得点情報を表示させるものである。このようにすれば、退屈になりがちな間奏時に高得点情報を表示させることで、音楽再生装置による演奏の娯楽性を高められるという利点がある。
【００１１】
【実施例】
以下、本発明の好適な実施例を図面に基づいて詳細に説明する。
【００１２】
図１は、本発明が適用された音楽再生装置の一例であるカラオケ装置１０の構成を示すブロック線図である。この図１に示すように、斯かるカラオケ装置１０は、ＣＲＴ等の画像表示装置１２と、背景映像再生用のディスクプレーヤ１４と、ビデオミキサ１６と、アンプミキサ１８と、スピーカ２０と、音声入力手段としてのマイク２２と、操作パネル２４と、中央演算処理装置であるＣＰＵ２６、ＲＯＭ２８、ＲＡＭ３０、記憶手段としてのハードディスク３２、ターミナルアダプタ３４、ＣＲＴコントローラ３６、上記操作パネル２４からの入力信号を処理する入出力インターフェイス３８、音楽情報を合成して出力するためのシンセサイザ４０、及びＡ／Ｄコンバータ４２とを、備えて構成されている。
【００１３】
上記中央演算処理装置２６は、上記ＲＯＭ２８に記憶された所定のプログラムに基づいて電子情報を処理・制御する所謂コンピュータであり、ユーザ（カラオケ装置１０の利用者）により所定のカラオケ演奏曲が選曲された場合、上記ハードディスク３２からＲＡＭ３０に選曲されたカラオケ演奏曲の音楽情報及び歌詞情報を読み出したり、カラオケ演奏曲の演奏が進行するのに応じてそのＲＡＭ３０から上記シンセサイザ４０へ音楽情報を送信したり、上記ＣＲＴコントローラ３６へ歌詞情報に基づいて歌詞文字映像を生成して送ったり、選曲時には曲情報に基づいて曲名文字映像をＣＲＴコントローラ３６へ送ったり、上記ディスクプレーヤ１４の制御をする等の基本的な制御を実行する。
【００１４】
前記操作パネル２４は、ユーザが歌いたいカラオケ演奏曲を選択したり、演奏曲の音程を調整したり、演奏と歌との音量バランスを調整したり、顧客を識別するために顧客毎に設定された顧客ＩＤを入力したり、カラオケ演奏に付随する各種のモード設定を行ったり、その他、エコー、音量、トーン等の各種調整を行うための操作釦（スイッチ）或いはツマミを備えた入力装置である。また、前記カラオケ装置１０には、前記操作パネル２４の一部機能を遠隔で実行するために、かかる操作パネル２４と同様に入力装置として機能するリモコン４４が備えられている。
【００１５】
前記ディスクプレーヤ１４は、背景映像を記憶したＣＤやＤＶＤを再生するものであり、前記ビデオミキサ１６は、前記ハードディスク３２から読み出された歌詞情報に基づいて前記中央演算処理装置２６において生成され且つ前記ＣＲＴコントローラ３６から出力される歌詞文字映像と、前記ディスクプレーヤ１４から送られるＮＴＳＣ映像とを合成して前記画像表示装置１２に表示させる映像合成装置である。前記ディスクプレーヤー１４から送られるＮＴＳＣ映像は、ユーザが歌詞を参照しながら歌を歌う際に前記画像表示装置１２に表示される背景映像である。
【００１６】
前記シンセサイザ４０は、前記ハードディスク３２から読み出されて送られて来る演奏曲の音楽情報に基づき、楽器の演奏信号等の音楽信号を生成する音源である。生成された音楽信号は、アナログ信号に変換されて前記アンプミキサ１８に送られる。そのアンプミキサ１８では、送られてきた音楽信号と前記マイク２２を介して入力されるユーザの歌声とがミキシングされ、それらの信号が電気的に増幅される。そして、そのミキシングされた音が前記スピーカ２０から出力される。前記Ａ／Ｄコンバータ４２は、後述する採点処理のために、前記マイク２２から入力される音声をデジタル信号に変換し、前記中央演算処理装置２６に供給する。
【００１７】
図２は、前記リモコン４４の操作部を説明する図である。この図に示すように、斯かるリモコン４４の操作部には、０から９までの１０個の数字釦４４ａ、選曲釦４４ｂ、左右上下の矢印釦４４ｃ、取消釦４４ｄ、及びモード設定釦４４ｅが設けられている。また、操作補助・確認のための表示部４４ｆが設けられている。上記数字釦４４ａは、選曲情報としての選曲番号や顧客ＩＤを入力するための釦（スイッチ）であり、その数字釦４４ａが押されると、その数字が上記表示部４４ｆに表示され、上記選曲釦４４ｂが押されることによりその選曲番号や顧客ＩＤが出力されて選曲番号や顧客ＩＤが確定する。左右上下の矢印釦４４ｃは、前記画像表示装置１２に選択肢が表示された際、同様に表示されるカーソル等を左右上下に移動させるための釦であり、その矢印釦４４ｃが操作されると、カーソル移動信号が出力されて上記選曲釦４４ｂが押されることにより選択している項目が確定する。また、前記カラオケ装置１０によるカラオケ演奏中に左右の矢印釦４４ｃが操作されると、演奏音の音程を変更するための音程変更信号が出力される。また、上記モード設定釦４４ｅは、カラオケ演奏に付随する各種のモード設定を実行するための釦であり、そのモード設定釦４４ｅが押されると、後述する高得点情報表示モードの設定画面をはじめとする各種モード設定画面が表示される。また、図１に示すように、これらの釦及び表示部に対応する構成が前記操作パネル２４にも設けられており、その操作パネル２４によっても同様の操作が可能とされている。
【００１８】
前記ハードディスク３２には、カラオケ演奏曲の音楽情報、歌詞情報、及び曲名情報等を格納する曲データベース、ユーザを識別するための情報としての顧客ＩＤを顧客の氏名、住所、連絡先等と共に格納する顧客ＩＤデータベース、及び後述する採点手段７０により採点された得点を含む利用者の情報をその採点の対象となった演奏曲すなわち選曲番号と関連付けて記憶する高得点データベース等が設けられている。この曲データベースの音楽情報は、例えばＭＩＤＩ（Ｍｕｓｉｃａｌ  Ｉｎｓｔｒｕｍｅｎｔ  Ｄｉｇｉｔａｌ  Ｉｎｔｅｒｆａｃｅ）形式で格納され、前記シンセサイザ４０へ供給される。
【００１９】
図３は、複数のカラオケ装置１０と公衆電話回線、有線放送用ケーブル、又は光ファイバ等による通信回線４６を介して接続されるホストサーバ４８の構成を示すブロック線図である。この図３に示すように、斯かるホストサーバ４８は、ＣＲＴ等の画像表示装置５０と、キーボード５２と、プリンタ５４と、中央演算処理装置であるＣＰＵ５６、ＲＯＭ５８、ＲＡＭ６０、ハードディスク６２、ターミナルアダプタ６４、ＣＲＴコントローラ６６、及び上記キーボード５２からの入力信号を処理する入力インターフェイス６８とを、備えた所謂コンピュータにより構成されている。このハードディスク６２には、前記カラオケ装置１０のハードディスク３２と同様に、後述する採点手段７０により採点された得点を含む利用者の情報をその採点の対象となった演奏曲と関連付けて記憶する高得点データベースが設けられており、記憶手段として機能する。
【００２０】
前記ターミナルアダプタ３４及び６４は、前記中央演算処理装置２６及び５６を上記通信回線４６に接続するための装置であり、複数のカラオケボックスにそれぞれ備えられた前記カラオケ装置１０は、斯かる通信回線４６を介して上記ホストサーバ４８に接続されている。そして前記カラオケ装置１０によって常に新しい曲を演奏可能とするために、随時、新曲の曲情報等が上記ホストサーバ４８から斯かる通信回線４６を介してダウンロードされ、前記ハードディスク３２の各種データベースに記憶される。
【００２１】
図４は、前記カラオケ装置１０による高得点情報表示機能の要部を説明する機能ブロック線図である。この図５に示す採点手段７０は、前記カラオケ装置１０の中央演算処理装置２６の制御機能であり、カラオケ演奏曲の出力に同期して入力される音声情報に応じて得点を採点する。具体的には、前記マイク２２により入力されて前記Ａ／Ｄコンバータ４２によりデジタル信号に変換された音声情報に関して、前記ハードディスク３２の曲データベースから読み出されて前記ＲＡＭ３０に記憶された曲情報の音程及びテンポからの相対的なずれや、音量等に基づいて歌唱評価としての得点を算出する。この採点手段７０により採点された得点及びその採点の対象となったカラオケ演奏曲の情報は、前記通信回線４６等を介して前記ホストサーバ４８へ送られる。
【００２２】
統計手段７２は、前記ホストサーバ４８の中央演算処理装置５６の制御機能であり、上記採点手段７０により採点された得点を、記憶手段である前記ハードディスク６２に記憶された情報のうちその採点の対象となったカラオケ演奏曲に関連付けられた情報の得点を母集団として統計する。具体的には、上記採点手段７０により採点された得点を前記ハードディスク６２の高得点データベースに記憶された情報の得点と比較し、得点が所定位例えば５位以上である場合には上記採点手段７０により採点された得点を含む利用者の情報、例えば所在地情報（都道府県名）、氏名或いはニックネイム、得点、採点の対象となったカラオケ演奏が行われた年月日及びカラオケ店名、及びコメント等をその採点の対象となった演奏曲と関連付けて前記ハードディスク６２の高得点データベースに記憶する。また、高得点データベースに記憶されていた情報のうち得点が所定位以下となった情報を消去する。すなわち、前記ハードディスク６２は、好適には、各カラオケ演奏曲を対象として過去に採点された得点が所定位以上である高得点情報のみを記憶する。このハードディスク６２に記憶された高得点情報は、前記通信回線４６等を介して前記複数のカラオケ装置１０のハードディスク３２に設けられた高得点データベースへ随時配信される。
【００２３】
高得点情報表示手段７４は、前記カラオケ装置１０の中央演算処理装置２６の制御機能であり、選択入力されたカラオケ演奏曲に関する表示と共に、前記ホストサーバ４８から配信されて前記ハードディスク３２の高得点データベースに記憶された情報のうちそのカラオケ演奏曲に関連付けられ且つ得点が所定位以上である高得点情報を前記画像表示装置１２に表示させる。具体的には、前記高得点データベースに記憶された情報に対応する文字映像を生成して前記ＣＲＴコントローラ３６により出力させ、前記ビデオミキサ１６により所定の背景映像と合成させて前記画像表示装置１２に表示させる。例えば、図５に示すように、カラオケ演奏曲の出力開始時にそのカラオケ演奏曲のタイトル（曲名及びアーティスト名）と共に前記高得点データベースに記憶された高得点情報のうち、そのカラオケ演奏曲に関して得点が首位である最高得点情報に含まれる所在地情報（都道府県名）、氏名或いはニックネイム、及び得点を表示させる。また、図６に示すように、カラオケ演奏曲の間奏時に、前記高得点データベースに記憶されたそのカラオケ演奏曲に関連付けられた高得点情報に含まれる所在地情報（都道府県名）、氏名或いはニックネイム、得点、採点の対象となったカラオケ演奏が行われた年月日及びカラオケ店名、及びコメントを表示させる。また、図７に示すように、モード設定画面において、そのカラオケ装置１０における選曲回数が所定位例えば２０位以上であるカラオケ演奏曲に関連付けられた高得点情報のうち得点が首位である最高得点情報に含まれる所在地情報（都道府県名）、氏名或いはニックネイム、及び得点をスクロール表示させる。
【００２４】
図８は、前記カラオケ装置１０の中央演算処理装置２６によるカラオケ演奏制御を説明するフローチャートであり、図９は、前記ホストサーバ４８の中央演算処理装置５６による高得点情報管理を説明するフローチャートである。これら制御は何れも所定の周期で繰り返し実行されるものである。以下、これら図８及び図９を用いて本実施例の高得点情報表示制御について説明する。
【００２５】
演奏制御ルーチンでは、先ず、図８に示すステップ（以下、ステップを省略する）ＳＡ１において、高得点情報表示（ＪＯＹＳＯＵＮＤ王）モードが選択されているか否かが判断される。このＳＡ１の判断が否定される場合には、ＳＡ９において、通常のカラオケ演奏処理が実行されて本ルーチンが終了させられるが、ＳＡ１の判断が肯定される場合には、ＳＡ２において、利用者によって選択入力されたカラオケ演奏曲に関連付けられた高得点情報が前記ハードディスク３２の高得点データベースに記憶されているか否かが判断される。すなわち、前記リモコン４４或いは操作パネル２４から入力された選曲番号に関連付けられた高得点情報が記憶されているか否かが判断される。このＳＡ２の判断が否定される場合には、ＳＡ５において、カラオケ演奏終了であるか否かが判断されるが、ＳＡ２の判断が肯定される場合には、ＳＡ３において、図５に示すように、選曲されたカラオケ演奏曲の出力開始時にそのカラオケ演奏曲のタイトルと共に前記高得点データベースに記憶された高得点情報のうち、そのカラオケ演奏曲に関連付けられ得点が首位である最高得点情報に含まれる所在地情報（都道府県名）、氏名或いはニックネイム、及び得点が表示され、ＳＡ４において、図６に示すように、カラオケ演奏曲の間奏時に、前記高得点データベースに記憶されたそのカラオケ演奏曲に関連付けられた高得点情報に含まれる所在地情報（都道府県名）、氏名或いはニックネイム、得点、採点の対象となったカラオケ演奏が行われた年月日及びカラオケ店名、及びコメントが表示された後、ＳＡ５において、カラオケ演奏終了であるか否かが判断される。このＳＡ５の判断が否定されるうちは、ＳＡ５の判断が繰り返されることにより待機させられるが、ＳＡ５の判断が肯定される場合には、前記採点手段７０に対応するＳＡ６において、カラオケ演奏曲の出力に同期して入力される音声情報に応じた得点が採点されて、その得点及びその採点の対象となったカラオケ演奏曲の情報が前記ホストサーバ４８へ送られた後、ＳＡ７において、所定時間以内にそのホストサーバ４８から入力指令が送られてきたか否かが判断される。このＳＡ７の判断が否定される場合には、それをもって本ルーチンが終了させられるが、ＳＡ７の判断が肯定される場合には、ＳＡ８において、前記リモコン４４の操作等により入力された所在地情報（都道府県名）、氏名或いはニックネイム、得点、採点の対象となったカラオケ演奏が行われた年月日及びカラオケ店名、及びコメント等の情報が高得点情報として前記ホストサーバ４８に送られた後、本ルーチンが終了させられる。以上のＳＡ３及びＳＡ４が前記高得点情報表示手段７４に対応する。
【００２６】
図４に示すところの高得点情報管理ルーチンでは、先ず、ＳＢ１において、前記カラオケ装置１０から採点結果である得点及びその採点の対象となったカラオケ演奏曲の情報が送られてきたか否かが判断される。このＳＢ１の判断が否定される場合には、ＳＢ７において、前記カラオケ装置１０に各種の情報を配信する情報配信時であるか否かが判断されるが、ＳＢ１の判断が肯定される場合には、前記統計手段７２に対応するＳＢ２において、採点結果として送られてきた得点が前記ハードディスク６２に記憶された情報のうちその採点の対象となったカラオケ演奏曲に関連付けられた情報の得点を母集団として統計処理された後、ＳＢ３において、高得点情報の更新であるか否か、すなわち採点結果として送られてきた得点が前記ハードディスク６２の高得点データベースに記憶された高得点情報と照らして所定位例えば５位以上であるか否かが判断される。このＳＢ３の判断が否定される場合には、ＳＢ７において、前記カラオケ装置１０に各種の情報を配信する情報配信時であるか否かが判断されるが、ＳＢ３の判断が肯定される場合には、ＳＢ４において、前記カラオケ装置１０へ所在地情報（都道府県名）、氏名或いはニックネイム、得点、採点の対象となったカラオケ演奏が行われた年月日及びカラオケ店名、及びコメント等の情報入力を要請する入力指令が送られた後、ＳＢ５において、そのカラオケ装置１０からその情報が送られてきたか否かが判断される。このＳＢ５の判断が否定されるうちは、ＳＢ５の判断が繰り返されることにより待機させられるが、ＳＢ５の判断が肯定される場合には、ＳＢ６において、採点結果である得点及び送られてきた情報が高得点情報として前記ハードディスク６２の高得点データベースに記憶されると共に、得点が所定位以下となった情報が消去された後、ＳＢ７において、前記カラオケ装置１０に各種の情報を配信する情報配信時であるか否かが判断される。このＳＢ７の判断が否定される場合には、それをもって本ルーチンが終了させられるが、ＳＢ７の判断が肯定される場合には、ＳＢ８において、最新の高得点情報を含む各種の情報が前記複数のカラオケ装置１０へ配信された後、本ルーチンが終了させられる。
【００２７】
このように、本実施例によれば、カラオケ演奏曲の出力に同期して入力される音声情報に応じて得点を採点する採点手段７０（ＳＡ６）と、その採点手段７０により採点された得点を含む利用者の情報をその採点の対象となったカラオケ演奏曲と関連付けて記憶する記憶手段である前記ハードディスク６２と、選択入力されたカラオケ演奏曲に関する表示と共に、前記ハードディスク６２に記憶された情報のうちそのカラオケ演奏曲に関連付けられ且つ得点が所定位以上である高得点情報を前記画像表示装置１２に表示させる高得点情報表示手段７４（ＳＡ２及びＳＡ３）とを、含むことから、所定のカラオケ演奏曲の出力に伴って繰り返し自分の情報を表示させたいという自己顕示欲を刺激し、カラオケ演奏に新たな娯楽性を付与することができる。また、自分の情報を表示させたいがために敢えて演奏回数の少ないカラオケ演奏曲を歌おうという新たな需要が発生することも期待できる。すなわち、利用者に感興を催させるカラオケ装置１０を提供することができる。
【００２８】
また、前記高得点情報表示手段７４は、カラオケ演奏曲の出力開始時にそのカラオケ演奏曲のタイトルと共に前記高得点情報を表示させるものであるため、注目を惹き易いタイトル表示時に高得点情報を表示させることで、利用者の自己顕示欲を一層刺激できるという利点がある。
【００２９】
また、前記高得点情報表示手段７４は、カラオケ演奏曲の間奏時に前記高得点情報を表示させるものであるため、退屈になりがちな間奏時に高得点情報を表示させることで、カラオケ装置１０による演奏の娯楽性を高められるという利点がある。
【００３０】
以上、本発明の好適な実施例を図面に基づいて詳細に説明したが、本発明はこれに限定されるものではなく、更に別の態様においても実施される。
【００３１】
例えば、前述の実施例では、前記統計手段７２は、前記ホストサーバ４８の中央演算処理装置５６の制御機能であったが、図１０に示すように、前記採点手段７０、統計手段７２、及び高得点情報表示手段７４の何れもが前記カラオケ装置１０の中央演算処理装置２６の制御機能であってもよい。この場合、前記カラオケ装置１０のハードディスク３２が前記採点手段７０により採点された得点を含む利用者の情報をその採点の対象となったカラオケ演奏曲と関連付けて記憶する記憶手段に対応し、前記統計手段７２による統計の母集団は、そのカラオケ装置１０により演奏及び採点が実行された情報となる。しかし、限られた母集団ゆえに高得点情報に名を連ね易いことから、斯かる態様によっても利用者の自己顕示欲を刺激できるのである。また、前記統計手段７２は、カラオケボックス毎に設けられたローカルサーバの中央演算処理装置の制御機能であっても構わない。
【００３２】
また、前述の実施例では、記憶手段である前記ハードディスク６２は、統計処理の結果として得点が所定位以上であると判定された高得点情報のみを記憶するものであったが、得点が所定点以上であった情報を記憶するものであっても構わない。この場合、前記統計手段７２により適宜高得点情報の抽出が実行されたり、或いは前記統計手段７２により得点が所定位以上であると判定された高得点情報のみが前記複数のカラオケ装置１０へ配信される。
【００３３】
また、前述の実施例では、前記高得点情報表示手段７４は、カラオケ演奏曲の出力開始時にそのカラオケ演奏曲のタイトルと共に、或いはカラオケ演奏曲の間奏時に前記高得点情報を表示させるものであったが、カラオケ演奏曲の出力終了間際に、或いはカラオケ演奏の出力中継続して前記高得点情報を表示させるものであっても構わない。
【００３４】
また、前述の実施例において、前記採点手段７０は、前記カラオケ装置１０の中央演算処理装置２６の制御機能であったが、採点プロセッサのような採点手段としての装置を別に備えたものであっても構わない。
【００３５】
その他、一々例示はしないが、本発明はその趣旨を逸脱しない範囲内において種々の変更が加えられて実施されるものである。
【図面の簡単な説明】
【図１】本発明が適用された音楽再生装置の一例であるカラオケ装置の構成を示すブロック線図である。
【図２】図１のカラオケ装置に備えられたリモコンの操作部を説明する図である。
【図３】図１のカラオケ装置と所定の通信回線を介して接続されるホストサーバの構成を示すブロック線図である。
【図４】図１のカラオケ装置による高得点情報表示機能の要部を説明する機能ブロック線図である。
【図５】カラオケ演奏の出力開始時に図１の画像表示装置に表示される画面の一例を示す図である。
【図６】カラオケ演奏の間奏時に図１の画像表示装置に表示される画面の一例を示す図である。
【図７】モード設定時に図１の画像表示装置に表示される画面の一例を示す図である。
【図８】図１のカラオケ装置の中央演算処理装置によるカラオケ演奏制御を説明するフローチャートである。
【図９】図３のホストサーバの中央演算処理装置による高得点情報管理を説明するフローチャートである。
【図１０】図１のカラオケ装置による高得点情報表示機能の他の一例の要部を説明する機能ブロック線図のである。
【符号の説明】
１０：カラオケ装置（音楽再生装置）
１２：画像表示装置
３２：ハードディスク（記憶手段）
６２：ハードディスク（記憶手段）
７０：採点手段
７４：高得点情報表示手段
【図１】
2004302085.tif 000003
【図２】
2004302085.tif 000004
【図３】
2004302085.tif 000005
【図４】
2004302085.tif 000006
【図５】
2004302085.tif 000007
【図６】
2004302085.tif 000008
【図７】
2004302085.tif 000009
【図８】
2004302085.tif 000010
【図９】
2004302085.tif 000011
【図１０】
2004302085.tif 000012